(57)【要約】【課題】タイン支持軸とタインの取付部をカバーで覆い、カバーの内周部が前後方向に開放されるのを防止して掻込作業を効率よく行うことができるコンバインを提供する。【解決手段】刈取前処理装置（３）のオーガ装置（３Ｃ）の前側に、穀稈を掻込む掻込装置（３Ａ）を設け、掻込装置（３Ａ）の掻込リール（１０）の外周部に、周方向に所定の間隔を隔てて左右方向に延在するタイン支持軸（１７）を設け、タイン支持軸（１７）に左右方向に所定の間隔を隔てて内周部に向かって延在するタイン（２５）を装着し、タイン支持軸（１７）とタイン（２５）の取付部（２６）を覆うカバー（３０）を装着し、カバー（３０）の前側カバー（３０Ａ）の下部と後側カバー（３０Ｂ）の下部を離間可能に形成し、カバー（３０）を装着した後に、前側カバー（３０Ａ）と後側カバー（３０Ｂ）の内周部の近傍を連結部材（３５）で連結する。【選択図】図４
2018183068.tif 000002
【特許請求の範囲】
【請求項１】
脱穀装置（４）の前側に刈取前処理装置（３）を設けたコンバインにおいて、
前記刈取前処理装置（３）のオーガ装置（３Ｃ）の前側に、穀稈を掻込む掻込装置（３Ａ）を設け、
該掻込装置（３Ａ）の掻込リール（１０）の外周部に、周方向に所定の間隔を隔てて左右方向に延在するタイン支持軸（１７）を設け、
該タイン支持軸（１７）に左右方向に所定の間隔を隔てて内周部に向かって延在するタイン（２５）を装着し、
前記タイン支持軸（１７）とタイン（２５）の取付部（２６）を覆うカバー（３０）を装着し、
該カバー（３０）の前側カバー（３０Ａ）の下部と後側カバー（３０Ｂ）の下部を離間可能に形成し、
前記カバー（３０）を装着した後に、前記前側カバー（３０Ａ）と後側カバー（３０Ｂ）の内周部の近傍を連結部材（３５）で連結したことを特徴とするコンバイン。
【請求項２】
前記連結部材（３５）をカバー（３０）の左右方向の両側部に設けた請求項１記載のコンバイン。
【請求項３】
前記連結部材（３５）をカバー（３０）の左右方向の中間部に設けた請求項２記載のコンバイン。
【請求項４】
前記連結部材（３５）を、前記前側カバー（３０Ａ）の内周部の近傍に固定する第１前側連結片（４０）と、前記後側カバー（３０Ｂ）の内周端部と係合する第１後側連結片（４２）と、前記第１前側連結片（４０）の内周部と第１後側連結片（４２）の外周部を連結する第１前後連結片（４１）で形成した請求項１〜３のいずれか１項に記載のコンバイン。
【請求項５】
前記連結部材（３５）を、前記前側カバー（３０Ａ）の内周部の近傍に固定する第２前側連結片（４４）と、前記後側カバー（３０Ｂ）の内周部の近傍に固定する第２後側連結片（４６）と、前記第２前側連結片（４４）の内周部と第２後側連結片（４６）の外周部を連結する第２前後連結片（４５）で形成した請求項１〜３のいずれか１項に記載のコンバイン。
【発明の詳細な説明】
【技術分野】
【０００１】
本発明は、倒伏した穀稈等を掻込む掻込装置を備えたコンバインに関するものである。
【背景技術】
【０００２】
従来の掻込装置では、掻込装置の外周部に横架された複数のタイン支持軸に、左右方向に所定の間隔を隔てて複数のタインを取付けて形成する技術が知られている。（特許文献１）
【先行技術文献】
【特許文献】
【０００３】
【特許文献１】特開２０１４―１４３９７９号公報
【発明の概要】
【発明が解決しようとする課題】
【０００４】
しかし、特許文献１の技術では、掻込まれた穀稈等がタイン支持軸とタインの取付部に絡み付き、絡み付いた穀稈等によってタインが破損するという問題があった。
【０００５】
そこで、本発明の主たる課題は、タイン支持軸とタインの取付部をカバーで覆い、カバーの内周部が前後方向に開放されるのを防止して掻込作業を効率よく行うことができるコンバインを提供することにある。
【課題を解決するための手段】
【０００６】
上記課題を解決した本発明は次記のとおりである。
請求項１に係る発明は、脱穀装置（４）の前側に刈取前処理装置（３）を設けたコンバインにおいて、
前記刈取前処理装置（３）のオーガ装置（３Ｃ）の前側に、穀稈を掻込む掻込装置（３Ａ）を設け、該掻込装置（３Ａ）の掻込リール（１０）の外周部に、周方向に所定の間隔を隔てて左右方向に延在するタイン支持軸（１７）を設け、該タイン支持軸（１７）に左右方向に所定の間隔を隔てて内周部に向かって延在するタイン（２５）を装着し、前記タイン支持軸（１７）とタイン（２５）の取付部（２６）を覆うカバー（３０）を装着し、該カバー（３０）の前側カバー（３０Ａ）の下部と後側カバー（３０Ｂ）の下部を離間可能に形成し、前記カバー（３０）を装着した後に、前記前側カバー（３０Ａ）と後側カバー（３０Ｂ）の内周部の近傍を連結部材（３５）で連結したことを特徴とするコンバインである。
【０００７】
請求項２に係る発明は、前記連結部材（３５）をカバー（３０）の左右方向の両側部に設けた請求項１記載のコンバインである。
【０００８】
請求項３に係る発明は、前記連結部材（３５）をカバー（３０）の左右方向の中間部に設けた請求項２記載のコンバインである。
【０００９】
請求項４に係る発明は、前記連結部材（３５）を、前記前側カバー（３０Ａ）の内周部の近傍に固定する第１前側連結片（４０）と、前記後側カバー（３０Ｂ）の内周端部と係合する第１後側連結片（４２）と、前記第１前側連結片（４０）の内周部と第１後側連結片（４２）の外周部を連結する第１前後連結片（４１）で形成した請求項１〜３のいずれか１項に記載のコンバインである。
【００１０】
請求項５に係る発明は、前記連結部材（３５）を、前記前側カバー（３０Ａ）の内周部の近傍に固定する第２前側連結片（４４）と、前記後側カバー（３０Ｂ）の内周部の近傍に固定する第２後側連結片（４６）と、前記第２前側連結片（４４）の内周部と第２後側連結片（４６）の外周部を連結する第２前後連結片（４５）で形成した請求項１〜３のいずれか１項に記載のコンバインである。  
【発明の効果】
【００１１】
請求項１記載の発明によれば、刈取前処理装置（３）のオーガ装置（３Ｃ）の前側に、穀稈を掻込む掻込装置（３Ａ）を設け、掻込装置（３Ａ）の掻込リール（１０）の外周部に、周方向に所定の間隔を隔てて左右方向に延在するタイン支持軸（１７）を設け、タイン支持軸（１７）に左右方向に所定の間隔を隔てて内周部に向かって延在するタイン（２５）を装着し、タイン支持軸（１７）とタイン（２５）の取付部（２６）を覆うカバー（３０）を装着し、カバー（３０）の前側カバー（３０Ａ）の下部と後側カバー（３０Ｂ）の下部を離間可能に形成し、カバー（３０）を装着した後に、前側カバー（３０Ａ）と後側カバー（３０Ｂ）の内周部の近傍を連結部材（３５）で連結したので、掻込まれた穀稈等が、タイン支持軸（１７）とタイン（２５）の取付部（２６）に絡み付くのを防止し、タイン（２５）の変形を防止することができる。また、掻込まれた穀稈等によるカバー（３０）の前側カバー（３０Ａ）と後側カバー（３０Ｂ）の内周部の前後方向の開放を防止して掻込作業を効率よく行うことができる。
【００１２】
請求項２記載の発明によれば、請求項１記載の発明の効果に加えて、連結部材（３５）をカバー（３０）の左右方向の両側部に設けたので、連結部材（３５）をカバー（３０）に容易に装着することができる。
【００１３】
請求項３記載の発明によれば、請求項２記載の発明の効果に加えて、連結部材（３５）をカバー（３０）の左右方向の中間部に設けたので、カバー（３０）の前側カバー（３０Ａ）と後側カバー（３０Ｂ）の内周部の前後方向の開放をより防止することができる。
【００１４】
請求項４記載の発明によれば、請求項１〜３のいずれか１項に記載の発明の効果に加えて、連結部材（３５）を、前側カバー（３０Ａ）の内周部の近傍に固定する第１前側連結片（４０）と、後側カバー（３０Ｂ）の内周端部と係合する第１後側連結片（４２）と、第１前側連結片（４０）の内周部と第１後側連結片（４２）の外周部を連結する第１前後連結片（４１）で形成したので、連結部材（３５）をカバー（３０）により容易に装着することができる。
【００１５】
請求項５記載の発明によれば、請求項１〜３のいずれか１項に記載の発明の効果に加えて、連結部材（３５）を、前側カバー（３０Ａ）の内周部の近傍に固定する第２前側連結片（４４）と、後側カバー（３０Ｂ）の内周部の近傍に固定する第２後側連結片（４６）と、第２前側連結片（４４）の内周部と第２後側連結片（４６）の外周部を連結する第２前後連結片（４５）で形成したので、カバー（３０）の前側カバー（３０Ａ）と後側カバー（３０Ｂ）の内周部の前後方向の開放を確実に防止することができる。
【図面の簡単な説明】
【００１６】
【図１】コンバインの右側面図である。
【図２】刈取前処理装置の左側面図である。
【図３】（ａ）はタイン支持軸の正面図、（ｂ）はカバーの底面図である。
【図４】第１実施形態の連結部材を用いたカバーの右側面図である。
【図５】連結部品の装着時の説明図である。
【図６】第２実施形態の連結部材を用いたカバーの右側面図である。
【図７】第３実施形態の連結部材を用いたカバーの右側面図である。
【図８】フィーダハウスを縦断面した左側面図である。
【図９】除去装置の平面図である。
【図１０】グレンタンクの（ａ）は左側面図、（ｂ）は背面図である。
【図１１】操縦部とグレンタンクの右側面図である。
【図１２】脱穀装置とグレンタンクの正面図である。
【発明を実施するための形態】
【００１７】
本発明について図面を参照しつつ説明する。なお、操縦者から見て、前方を前側、後方を後側、右手側を右側、左手側を左側として便宜的に方向を示して説明する。
【００１８】
図１に示すように、汎用コンバインは、機体フレーム１の下側に土壌面を走行する左右一対のクローラからなる走行装置２が設けられ、機体フレーム１の前側に圃場の穀稈を収穫する刈取前処理装置３が設けられ、刈取前処理装置３の後側左部に収穫された穀稈を脱穀・選別処理する脱穀装置４が設けられ、刈取前処理装置３の後側右部に操縦者が搭乗する操縦部５が設けられている。
【００１９】
操縦部５の下部には、エンジンを搭載するエンジンルーム６が設けられ、操縦部５の後側には、脱穀・選別処理された穀粒を貯留するグレンタンク７が設けられ、グレンタンク７の後側には、穀粒を外部に排出する排出筒８が設けられている。排出筒８は、グレンタンク７の後下部に連通されて上下方向に延在する縦排出筒と、縦排出筒の上部に連通されて前後方向に延在する横排出筒から形成されている。また、脱穀装置４の右壁の下部とグレンタンク７の左壁の上部は、穀粒を搬送する揚穀装置９によって連結されている。
【００２０】
刈取前処理装置３は、圃場の穀稈を起立させながら掻込んで後側に搬送する掻込装置３Ａと、後側に搬送された穀稈の株元を切断する刈刃装置３Ｂと、後側に搬送された穀稈を左側に寄せ集めるオーガ装置３Ｃと、寄せ集められた穀稈を脱穀装置４に搬送するフィーダハウス３Ｄから構成されている。
【００２１】
＜掻込装置＞
図２に示すように、掻込装置３Ａは、掻込リール１０と、掻込リール１０が固定された回転軸１１と、回転軸１１の両側部を支持する左右一対のアーム１２等から構成されている。回転軸１１の軸芯視において、掻込リール１０は、正五角形形状に形成されている。掻込リール１０は、回転軸１１の両側部に固定された左右一対の支持プレート１５と、支持プレート１５の外周部から放射状に延在された５本の支持アーム１６と、左右側の支持アーム１６の先端部の間に横設された５本のタイン支持軸１７等で構成されている。また、５本の支持アーム１６の先端部は、連結プレート１８で連結されている。これにより、圃場の穀稈を掻込リール１０の内側と外側に効率よく分草することができる。
【００２２】
図３に示すように、各タイン支持軸１７には、左右方向に所定の間隔を隔てて樹脂又は鋼製の丸棒から形成されたタイン２５が吊下げら、タイン２５の上部は、樹脂製のカバー３０によって覆われている。これにより、掻込リール１０によって掻込まれた穀稈がタイン２５の上部への絡み付きを防止することができる。また、タイン支持軸１７の左側に吊下げられた３本のタイン２５と右側に吊下げられた４本のタイン２５の左右方向の間隔を、中央部に吊下げられた８本のタイン２５の左右方向の間隔よりも狭く設定している。これにより、連結プレート１８によって掻込リール１０の内側に分草された穀稈を効率よく掻込むことができる。
【００２３】
図４，５に示すように、タイン支持軸１７には、左右方向に所定の間隔を隔てて吊下げ部２０が設けられている。吊下げ部２０は、タイン支持軸１７の外周部の前部から下側に向かって延在する板状の前側板部２０Ａとタイン支持軸１７の外周部の前部から下側に向かって延在する板状の後側板部２０Ｂと、前側板部２０Ａと後側板部２０Ｂの延在部を締結する締結手段２０Ｃで形成されている。
【００２４】
タイン２５は、吊下げ部２０の締結手段２０Ｃに係合する湾曲部２５Ａと、湾曲部２５Ａの下端部から下側に向かって延在する上側延在部２５Ｂと、上側延在部２５Ｂの下端部から円周状に延在する円周部２５Ｃと、円周部２５Ｃの下端部から下側後部に向かって延在する下側延在部２５Ｄで形成されている。これにより、穀稈から下側延在部２５Ｄに過度な外力が働いた場合には、円周部２５Ｃが変形してタイン２５の破損を防止することができる。
【００２５】
吊下げ部２０にタイン２５を装着する場合は、タイン２５の湾曲部２５Ａを締結手段２０Ｃに係合して、湾曲部２５と上側延在部２５Ｂを、吊下げ部２０の前側板部２０Ａと後側板部２０Ｂで挟込む。これにより、吊下げ部２０にタイン２５を効率よく装着することができ、また、掻込リール１０の駆動時にタイン２５の脱落を防止することができる。
【００２６】
両端部を除くタイン支持軸１７と、吊下げ部２０と、タイン２５の下側延在部２５Ｄを除く湾曲部２５Ａと、上側延在部２５Ｂと、円周部２５Ｃは、樹脂製のカバー３０で覆われている。これにより、掻込リール１０によって掻込まれた穀稈が、タイン支持軸１７と、吊下げ部２０と、タイン２５の湾曲部２５Ａ等への絡み付きを防止することができる。なお、本明細書では、タイン２５の湾曲部２５Ａと、上側延在部２５Ｂと、円周部２５Ｃを取付部２６と言い、タイン２５の下側延在部２５Ｄを掻込み部２７と言う。
【００２７】
タイン支持軸１７の軸芯視において、カバー３０は、タイン支持軸１７と、タイン２５の円周部２５Ｃを覆う前側カバー３０Ａと、前側カバー３０Ａの後端部から下側に向かって延在する後側カバー３０Ｂから形成され、前側カバー３０Ａと後側カバー３０Ｂの下部は、前後に分離可能に形成されている。また、前側カバー３０Ａの下部の後端部には、左右方向に所定の間隔を隔てて形成されたタイン２５を挿通する切欠部３０Ｃが形成されている。これにより、タイン２５をタイン支持軸１７の吊下げ部２０に装着した後に、カバー３０をタイン支持軸１７に容易に着脱することができる。
【００２８】
カバー３０の前側カバー３０Ａと後側カバー３０Ｂは、連結部材３５によって連結するのが好ましい。これにより、掻込リール１０の駆動時にカバー３０の前側カバー３０Ａと後側カバー３０Ｂの下部が前後に開放するのを防止して、掻込まれた穀稈が、タイン支持軸１７等への絡み付きを防止することができる。また、連結部材３５は、カバー３０の左右方向の左側部と右側部に設ければよく、穀稈を収穫状況に応じてカバー３０の左右方向の中心部、左側部と中心部の中間部、右側部と中心部の中間部に設けることができる。なお、図３には、連結部材３５をカバー３０の左右方向の左側部と、右側部と、中心部に設けた形態を示している。
【００２９】
（第１実施形態の連結部材）
第１実施形態の連結部材３５は、前側カバー３０Ａの下部の直線部に沿って延在する前側連結片（請求項における「第１前側連結片」）４０と、後側カバー３０Ｂの下端部に係合する略Ｕ字形状に形成された後側連結片（請求項における「第１後側連結片」）４２と、前側連結片４０の下端部と後側連結片４２の前側上端部を連結する前後連結片（請求項における「第１前後連結片」）４１から形成され、前側連結片４０の後面には、ナット４０Ａが固定されている。なお、タイン支持軸１７の軸芯視において、連結部材３５は、略横Ｌ字形状に形成されている。
【００３０】
連結部材３５をカバー３０に装着する場合には、先ず、前側連結片４０を上側にした姿勢の連結部材３５を前側カバー３０Ａと後側カバー３０Ｂの下部の隙間からカバー３０の内側に挿入する。次に、後側連結片４２を後側カバー３０Ｂの下端部に係合する。最後に、前側カバー３０Ａの前側から挿通したボルトをナット４０Ａに締結する。これにより、連結部材３５の前側連結片４０と後側連結片４２を、前側カバー３０Ａと後側カバー３０Ｂに容易に連結することができ、掻込リール１０の駆動時に前側カバー３０Ａと後側カバー３０Ｂの下部が前後に開放するのを防止することができる。なお、連結部材３５をカバー３０から着脱する場合には、着脱作業をスムーズに行うために、カバー３０における連結部材３５連結される部位の近傍を樹脂製バンド等で仮止めするのが好ましい。
【００３１】
（第２実施形態の連結部材）
次に、第２実施形態の連結部材３５について説明する。なお、第１実施形態の連結部材３５と同一部品には同一符号を付して説明を省略する。図６に示すように、第２実施形態の連結部材３５は、前側カバー３０Ａの下部の直線部に沿って延在する前側連結片（請求項における「第２前側連結片」）４４と、後側カバー３０Ｂの下部の直線部に沿って延在する後側連結片（請求項における「第２後側連結片」）４６と、前側連結片４４の下端部と後側連結片４６の上端部を連結する前後連結片（請求項における「第２前後連結片」）４５から形成され、前側連結片４４の後面には、ナット４４Ａが固定され、後側連結片４６の前面には、ナット４６Ａが固定されている。なお、タイン支持軸１７の軸芯視において、連結部材３５は、略横Ｚ字形状に形成されている。
【００３２】
連結部材３５をカバー３０に装着する場合には、先ず、前側連結片４４を上側にした姿勢の連結部材３５を前側カバー３０Ａと後側カバー３０Ｂの下部の隙間からカバー３０の内側に挿入する。次に、後側カバー３０Ｂの後側から挿通したボルトをナット４６Ａに締結する。最後に、前側カバー３０Ａの前側から挿通したボルトをナット４４Ａに締結する。これにより、連結部材３５の前側連結片４４と後側連結片４６を、前側カバー３０Ａと後側カバー３０Ｂに確実に連結して、掻込リール１０の駆動時に発生する振動によって連結部材３５が取外されるのを防止し、掻込リール１０の駆動時に前側カバー３０Ａと後側カバー３０Ｂの下部が前後に開放するのを防止することができる。
【００３３】
（第３実施形態の連結部材）
次に、第３実施形態の連結部材３５について説明する。なお、第１実施形態の連結部材３５と同一部品には同一符号を付して説明を省略する。図７に示すように、第３実施形態の連結部材３５は、吊下げ部２０の後側板部２０Ｂから下側に延在した後に、カバー３０の後側カバー３０Ａに沿って延在する固定された後側連結片４８と、カバー３０の前側カバー３０Ａと後側カバー３０Ｂの下部を下側から覆う下部連結片４９から形成され、後側連結片４８の前面にはナット４８Ａが固定されている。なお、タイン支持軸１７の軸芯視において、下部連結片４９は、前側カバー３０Ａと後側カバー３０Ｂの下部に沿って略Ｕ字形状に形成されている。
【００３４】
連結部材３５をカバー３０に装着する場合には、先ず、下部連結片４９を前側カバー３０Ａと後側カバー３０Ｂの下部に取付ける。次に、下部連結片４９と後側カバー３０Ｂの後側から挿通したボルトをナット４８Ａに締結する。これにより、下部連結片４９によって、前側カバー３０Ａと後側カバー３０Ｂに容易に連結することができ、掻込リール１０の駆動時に前側カバー３０Ａと後側カバー３０Ｂの下部が前後に開放するのを防止することができる。
【００３５】
＜フィーダハウス＞
図８，９に示すように、フィーダハウス３Ｄは、略直方体形状に形成された枠体５０と、枠体５０の左右壁の前部に横設された支軸５１に回転自在に支持されたスプロケット５２と、枠体５０の左右壁の後部に横設された回転軸５３に固定されたスプロケット５４と、スプロケット５２とスプロケット５４に巻付けられたチェン５５等から形成されている。また、チェン５５には所定の間隔を隔てて穀稈を後方に向かって搬送するスラット５５Ａが着脱自在に固定され、回転軸５３にはエンジンの回転が伝動される。
【００３６】
回転軸５３における左右側にスプロケット５４の間には回転軸５３を覆う円筒形状に形成された外筒５６が装着されている。また、外筒５６の外周部は、スプロケット５４の歯底部の近傍に臨んでいる。これにより、フィーダハウス３Ｄによって脱穀装置４の前側まで搬送された穀稈の回転軸５３、スプロケット５４等への絡み付きを防止して、フィーダハウス３Ｄから脱穀装置４に穀稈を効率よく移送することができる。
【００３７】
回転軸５３の軸芯視において、外筒５６の前側には、外筒５６に絡み付いた穀稈を削ぎ落とす除去装置６０が設けられている。除去装置６０は、枠体５０の左右壁の後部に横設された支軸６１と、支軸６１の上部に固定された板状の取付部６１Ａから後側に向かって延在する前側フレーム６２と、水平フレーム６２の後部に形成された連結部６２Ａから後側に向かって延在する後側フレーム６３等から構成されている。
【００３８】
平面視において、連結部６２は、後側が解放された逆コ字形状に形成され、後側フレーム６３は、前後方向に延在する上板６３Ａと、上板６３Ａの左右方向の両側部から下側に向かって延在する側板６３Ｂから形成されている。
【００３９】
前側フレーム６２の後部には、取付部６１Ａに対して前後方向と左右方向に移動可能に開口部が形成されている。また、後側フレーム６３の側板６３Ｂには、連結部６２に対して上下方向に移動可能に開口部が形成されている。これにより、前側フレーム６２と後側フレーム６３を移動させて、後側フレーム６３の上板６３Ａの後端部を外筒５６の外周部に臨ませて、外筒５６の外周部に絡み付いた穀稈を効率よく削ぎ落とすことができる。
【００４０】
＜グレンタンク＞
図１０に示すように、グレンタンク７の貯留容量を大きくするために、前壁に前側に向けて張出す前張出部７０を形成し、左壁の後部に左側に向けて張出す左張出部７１を形成し、上壁に上側に向けて張出す上張出部７２を形成している。なお、図１２においては、前張出部７０、左張出部７１、上張出部７２にドッドを付して示している。
【００４１】
図１１，１２に示すように、前張出部７０の前端部は、操縦部５の後部に配置されたエンジンに供給される空気中の不純物を除去するエアクリーナ７５を支持する支持フレーム７６の後部に臨んでいる。
【００４２】
左張出部７１の前端部は、脱穀装置４で脱穀・選別処理された２番物を脱穀装置４の選別処理に搬送する２番揚穀装置を配置するために、後下がり傾斜に形成されている。また、エンジンから排出される排気ガスを外部に排出するテールパイプからの放熱によりグレンタンク７、特に、左張出部７１に貯留された穀粒の乾燥が促進される。
【００４３】
上張出部７２は、エアクリーナ７５に供給される空気中の粉塵を除去するプレクリーナ７７の上端部よりは方で、プレクリーナ７７の空気の吸引口よりは上方に配置されている。これにより、グレンタンク７の上張出部７２が外部の木々等に衝突するのを防止することができ、また、プレクリーナ７７によって裁断された藁屑等が含まれていない空気を吸引することができる。さらに、プレクリーナ７７を揚穀装置９の上部に支持する支持部材をコンパクトに形成でき、上張出部７２にサンバイザーのサンバイザーフレームの後部を取付けることによりサンバイザーフレームをコンパクトに形成することができる。
【符号の説明】
【００４４】
３        刈取前処理装置
３Ａ      掻込装置
３Ｃ      オーガ装置
４        脱穀装置
１０      掻込リール
１７      タイン支持軸
２５      タイン
２６      取付部
３０      カバー
３０Ａ    前側カバー
３０Ｂ    後側カバー
３５      連結部材
４０      前側連結片（第１前側連結片）
４１      前後連結片（第１前後連結片）
４２      後側連結片（第１後側連結片）
４４      前側連結片（第２前側連結片）
４５      前後連結片（第２前後連結片）
４６      後側連結片（第２後側連結片）
【図１】
2018183068.tif 000003
【図２】
2018183068.tif 000004
【図３】
2018183068.tif 000005
【図４】
2018183068.tif 000006
【図５】
2018183068.tif 000007
【図６】
2018183068.tif 000008
【図７】
2018183068.tif 000009
【図８】
2018183068.tif 000010
【図９】
2018183068.tif 000011
【図１０】
2018183068.tif 000012
【図１１】
2018183068.tif 000013
【図１２】
2018183068.tif 000014